(57)【要約】  本発明は、実体感の合わさった面白さを味わうことができ、しかも、軽量で怪我のし難い多面体遊具に関する。多面体遊具１は、弾性を有し、少なくとも一面に嵌合突起３が突設され、他の少なくとも一面に嵌合孔７が形成された多面体であって、嵌合突起３及び嵌合孔７は、相互に嵌合連結可能な形状を有し、更に、嵌合突起３は突出先端部と基面２との間に縮径された括れ部５を有し、嵌合孔７は開口部８が内部に比べて縮径された形状を有する。この嵌合突起３が嵌合孔７に挿入されると、開口部８が括れ部５に係合した状態となり、嵌合突起３が嵌合孔７から抜け難くなる。また、弾性体から構成しているので、遊戯者が怪我をすることがなく、実物大より若干小さい構造物や、逆に大きい構造物などを構築することができ、より現実味のある実体感を併せ持ったより興味深い遊戯を行なわせることができる。【特許請求の範囲】
【請求項１】
弾性を有し、少なくとも一面に嵌合突起が突設され、他の少なくとも一面に嵌合孔が形成された多面体であって、
前記嵌合突起及び嵌合孔は、相互に嵌合連結可能な形状を有し、
更に、前記嵌合突起は、突出先端部と基面との間に縮径された括れ部を有し、
前記嵌合孔は、開口部が内部に比べて縮径されてなることを特徴とする多面体遊具。
【請求項２】
前記多面体は、弾性を有する多孔質体から構成されてなることを特徴とする請求項１記載の多面体遊具。
【請求項３】
前記嵌合突起又は嵌合孔の表面が硬質皮膜で被覆されてなることを特徴とする請求項１又は２記載の多面体遊具。
【請求項４】
前記嵌合突起及び嵌合孔は、嵌合連結時に、該嵌合突起の括れ部側外周面及び嵌合孔の開口部側内周面の少なくとも一部分が互いに係合するように構成され、
前記嵌合突起の括れ部側外周面は、その外径が括れ部側から先端部側にかけて連続的に大きくなるように形成される一方、前記嵌合孔の開口部側内周面は、その内径が開口部側から底部側にかけて連続的に大きくなるように形成されるとともに、前記嵌合突起の括れ部側外周面と係合する部分の内径が該括れ部側外周面の外径よりも小径に形成されてなることを特徴とする請求項１乃至３記載のいずれかの多面体遊具。
【請求項５】
前記嵌合突起の括れ部は、該嵌合突起の前記基面との付根に形成されてなることを特徴とする請求項１乃至４記載のいずれかの多面体遊具。
【発明の詳細な説明】
【技術分野】
【０００１】
本発明は、少なくとも一面に嵌合突起が突設され、他の少なくとも一面に嵌合孔が形成された多面体遊具であって、嵌合突起を嵌合孔に嵌合連結させて、複数の多面体遊具を相互に係着させることで、積み木のように、所望の立体形状をした構造物を構築することのできる遊具に関する。
【背景技術】
【０００２】
従来、上述した多面体遊具の一例として、第一ブロック素子、第二ブロック素子及び第三ブロック素子の三つのブロック素子からなる組立ブロックセットが知られている（特開平５−２７７２６２号公報参照）。【０００３】
第一ブロック素子及び第二ブロック素子は同一寸法の立方体形状を有し、第一ブロック素子は、その３面にそれぞれ同一寸法の円柱状突起が形成されるとともに、連続する２面が平坦面に形成され、残りの１面には各突起に対応する角穴が形成されている。【０００４】
また、第二ブロック素子は、その１面に第一ブロック素子と同一寸法の円柱状突起が形成され、２面に各突起に対応する丸穴が形成されるとともに、連続する２面が平坦面に形成され、残りの１面には各突起に対応する角穴が形成されている。【０００５】
また、第三ブロック素子は、六面体形状を有し、その連続する２面が第１及び第２ブロック素子と同寸法の正方形に形成され、この２面のうち一方には前記各突起と同一寸法の円柱状突起が形成されるとともに、他方には前記各突起に対応する角穴が形成され、更に、この２面に連続する２面が相互に平行に形成され、残りの２面がそれぞれ前記正方形をした２面と直交するように形成されている。【０００６】
斯くして、この組立ブロックセットでは、各ブロック素子の突起が全て同一寸法であり、各ブロック素子の角穴及び第二ブロック素子の丸穴はそれぞれ前記突起に対応しているので、各ブロック素子の突起を他のブロック素子の角穴若しくは丸穴に嵌合させることにより、ブロック素子を相互に自由に連結させることができ、このように３種類のブロック素子を相互に連結させることで、所望の平面形状又は立体形状を自由自在に構成することができる。【０００７】
尚、各ブロック素子の連結状態を良好に維持するためには、着脱の繰り返しによる前記突起部及び穴部の摩耗を抑制する必要があり、このため、前記ブロック素子の素材としては、従来、硬質のプラスチックが使用されている。【０００８】
【特許文献１】特開平５−２７７２６２号公報
【発明の開示】
【発明が解決しようとする課題】
【０００９】
ところで、上述した多面体遊具は、従来、主として幼児などの若年層に向けて提供され、船，自動車やビルといった構造物の縮小模型として組み立てられることが多く、その組立体としての大きさは手に持って遊べる程度のものが殆どで、単体としての大きさもごく小さいものであった。【００１０】
しかしながら、遊戯者としての幼児にとっては、上記多面体遊具を用いた組立体は、必ずしも手で持ち遊べる大きさである必要はなく、むしろ、実物大より若干小さいものや、逆に大きいものであれば、より現実味のある想像力が惹起され、これを用いた遊戯がより興味深いものとなる。【００１１】
例えば、上記多面体遊具を用い、遊戯者が内部に入ることができる大きさの家や、乗り込み可能な船や自動車などを構築できれば、遊戯者は、遊具を用いて組立体を構築するという面白さと、組み立てた家に出入りしたり、船や自動車に乗り込むことができるという実体感を併せ持った面白さを味わうことができる。【００１２】
この場合、飽き易い幼児にとって、組立遊戯に対する興味が損なわれないように、組立作業を煩わしくないものとする必要があり、そのためには、多面体遊具の単体をそれ相応に大きいものとする必要があるが、このように大きくした場合、従来のように硬質プラスチックを用いたのでは、その重量が重くなって、取り扱いが不便となり、また、角部で怪我をし易いという問題を生じる。【００１３】
そこで、かかる問題を解消する手立てとして、前記多面体遊具を弾性体から構成することが考えられるが、上記突起部及び穴部による従来の嵌合連結構造では、当該突起部及び穴部が弾性変形するため、その連結状態が不安定となり、このため、連結が外れ易く、組立体の連結状態を維持し難いという問題を、逆に生じることになる。【００１４】
また、取扱勝手の面からして、多面体遊具単体の重量を軽減する必要もある。【００１５】
本発明は、以上述べた従来の実情に鑑みなされたもので、実体感の合わさった面白さを味わうことができ、しかも、軽量で怪我のし難い多面体遊具の提供をその目的とする。
【課題を解決するための手段】
【００１６】
上記課題を解決するための本発明は、弾性を有し、少なくとも一面に嵌合突起が突設され、他の少なくとも一面に嵌合孔が形成された多面体であって、
前記嵌合突起及び嵌合孔は、相互に嵌合連結可能な形状を有し、
更に、前記嵌合突起は、突出先端部と基面との間に縮径された括れ部を有し、
前記嵌合孔は、開口部が内部に比べて縮径されてなることを特徴とする多面体遊具に係る。【００１７】
上記構成を備えた本発明の多面体遊具では、一の多面体遊具の嵌合突起を、他の多面体遊具の嵌合孔に嵌合することで、両多面体遊具が連結され、同様にして複数の多面体遊具を嵌合連結することで、所望の立体形状を有する構造物を構築することができる。【００１８】
前記嵌合突起と嵌合孔との嵌合は、嵌合突起が嵌合孔内に挿入される際に、嵌合突起の前記括れ部より先端の大径部が弾性収縮変形するとともに、嵌合孔の前記開口部が弾性変形（拡大変形を含む）することにより、嵌合突起が嵌合孔に挿入される。【００１９】
このようにして嵌合突起が嵌合孔に挿入されると、嵌合突起の大径部及び嵌合孔の開口部は、変形状態から元の状態に復し、同嵌合孔の開口部が嵌合突起の括れ部に係合した状態となる。そして、このように開口部と括れ部が係合することで、嵌合突起が嵌合孔から抜け難くなり、組み付けた多面体遊具間の連結状態が良好に維持され、多面体遊具を弾性体から構成しても、構築した構造物の立体形状を良好に維持することができる。【００２０】
また、多面体遊具を弾性体から構成しているので、これを相応に大きなものとしても、遊戯者が怪我をすることはなく、実物大より若干小さい構造物や、逆に大きい構造物などを構築することができ、より現実味のある実体感を併せ持ったより興味深い遊戯を行なわせることができる。【００２１】
尚、前記多面体は、スポンジに代表されるような、弾性を有する多孔質体から構成されていても良い。このようにすれば、多面体遊具の大きさを大きくしてもその重量を抑えることができ、幼児などが容易に取り扱うことができる。【００２２】
また、前記嵌合突起又は嵌合孔の表面が硬質皮膜で被覆されていても良い。このようにすれば、嵌合関係にある嵌合突起又は嵌合孔が、硬質皮膜によって弾性変形しなくなるので、嵌合突起が嵌合孔からより抜け難くなり、構築した構造物の立体形状をより良好に維持することができる。【００２３】
また、前記嵌合突起及び嵌合孔は、嵌合連結時に、該嵌合突起の括れ部側外周面及び嵌合孔の開口部側内周面の少なくとも一部分が互いに係合するように構成され、前記嵌合突起の括れ部側外周面は、その外径が括れ部側から先端部側にかけて連続的に大きくなるように形成される一方、前記嵌合孔の開口部側内周面は、その内径が開口部側から底部側にかけて連続的に大きくなるように形成されるとともに、前記嵌合突起の括れ部側外周面と係合する部分の内径が該括れ部側外周面の外径よりも小径に形成されていても良い。【００２４】
このようにすれば、嵌合突起が嵌合孔に挿入される際には、嵌合突起の括れ部側外周面よりも嵌合孔の開口部の方が小径であることから、当該括れ部側外周面と開口部とが当接し、嵌合突起及び嵌合孔の弾性力によって嵌合突起が嵌合孔内に引き込まれ、多面体遊具をより容易且つより確実に嵌合連結させることができる。また、嵌合突起が嵌合孔内に挿入された後においては、嵌合突起の括れ部側外周面と嵌合孔の開口部側内周面とが係合し、嵌合突起及び嵌合孔の弾性力によって嵌合突起を嵌合孔内に引き込む力を生じることから、嵌合突起が嵌合孔から抜けるのをより確実に防止することができ、多くの多面体遊具を組み付けても、これが崩れるのを防止することができる。【００２５】
また、前記嵌合突起の括れ部は、該嵌合突起の前記基面との付根に形成されていても良い。このようにすれば、嵌合突起が嵌合孔内に完全に収まり、嵌合突起が設けられた表面と嵌合孔が設けられた表面とが当接した状態で、嵌合突起の括れ部と嵌合孔の開口部とが係合するので、がたつきなどのない安定した嵌合連結状態とすることができる。
【発明の効果】
【００２６】
以上述べたように、本発明の多面体遊具によれば、これを弾性体から構成しているので、相応に大きなものとしても、遊戯者が怪我をすることはなく、実物大より若干小さい構造物や、逆に大きい構造物などを構築することができ、より現実味のある実体感を併せ持ったより興味深い遊戯を行なわせることができる。【００２７】
また、嵌合突起の突出先端部と基面との間に括れ部を形成するとともに、嵌合孔の開口部を内部に比べて縮径した形状としているので、嵌合突起が嵌合孔に挿入された際に、嵌合孔の開口部が嵌合突起の括れ部に係合した状態となり、これにより、嵌合突起が嵌合孔から抜け難くなって、組み付けた多面体遊具間の連結状態が良好に維持され、構築した構造物の立体形状を良好に維持することができる。【００２８】
また、当該多面体遊具を弾性多孔質体から構成すれば、その重量を抑えて、幼児などが容易に取り扱うことができ、嵌合突起又は嵌合孔の表面を硬質皮膜で被覆すれば、嵌合突起が嵌合孔からより抜け難くなり、構築した構造物の立体形状をより良好に維持することができる。【００２９】
また、嵌合連結時に嵌合突起の括れ部側外周面及び嵌合孔の開口部側内周面の少なくとも一部分が互いに係合するように構成し、嵌合突起の括れ部側外周面を先端部側の方がより大径となるように形成する一方、嵌合孔の開口部側内周面を底部側の方がより大径となるように形成するとともに、前記括れ部側外周面と係合する部分の内径を当該括れ部側外周面の外径よりも小径に形成すれば、嵌合突起の嵌合孔挿入時には、嵌合突起の括れ部側外周面と嵌合孔の開口部との係合関係により嵌合突起を嵌合孔内に引き込ませて、多面体遊具をより容易且つより確実に嵌合連結させることができ、嵌合突起が嵌合孔内に収まった後は、嵌合突起の括れ部側外周面と嵌合孔の開口部側内周面との係合関係によって生じる引き込み力により、嵌合突起が嵌合孔から抜けるのをより確実に防止し、多くの多面体遊具を組み付けても、これが崩れるのを防止することができる。【００３０】
また、嵌合突起の括れ部を嵌合突起の付根に形成すれば、嵌合突起の括れ部と嵌合孔の開口部との係合によって、嵌合突起が嵌合孔内に完全に収まり、嵌合突起が設けられた表面と嵌合孔が設けられた表面とが当接した状態となるので、多面体遊具の嵌合連結状態をがたつきなどのない安定したものとすることができる。
【図面の簡単な説明】
【００３１】
【図１】本発明の一実施形態に係る多面体遊具を示した斜視図である。
【図２】図１における矢視Ａ−Ａ方向の断面図である。
【図３】嵌合突起及び嵌合孔の嵌合連結状態を示した断面図である。
【図４】図１における矢視Ｂ方向の側面図である。
【図５】本実施形態に係る多面体遊具の複数を連結した状態を示す斜視図である。
【図６】本発明の他の実施形態に係る多面体遊具を示した斜視図である。
【図７】図６における矢視Ｃ−Ｃ方向の断面図である。
【図８】本発明の他の実施形態に係る多面体遊具を示した斜視図である。
【図９】図８における矢視Ｄ−Ｄ方向の断面図である。
【図１０】本発明の他の実施形態に係る多面体遊具を示した斜視図である。
【図１１】図１０における矢視Ｅ−Ｅ方向の断面図である。
【図１２】本発明の他の実施形態に係る多面体遊具を示した斜視図である。
【図１３】図１２における矢視Ｆ−Ｆ方向の断面図である。
【図１４】本発明の他の実施形態に係る多面体遊具を示した斜視図である。
【図１５】図１４における矢視Ｇ−Ｇ方向の断面図である。
【符号の説明】
【００３２】
１    多面体遊具
２    表面（基面）
３    嵌合突起
４    突出先端部
５    括れ部
６    括れ部側外周面
７    嵌合孔
８    開口部
９    開口部側内周面
【発明を実施するための最良の形態】
【００３３】
以下、本発明の実施形態について、図面に基づいて説明する。図１は、本実施形態に係る多面体遊具を示した斜視図であり、図２は、その矢視Ａ−Ａ方向の断面図である。また、図３は、嵌合突起及び嵌合孔の嵌合連結状態を示した断面図であり、図４は、図１における矢視Ｂ方向の側面図であり、図５は、本実施形態に係る多面体遊具の複数を連結した状態を示す斜視図である。【００３４】
図１及び図２に示すように、本例の多面体遊具１は、弾性を有する例えばポリウレタンスポンジから構成され、その形状は立方体形状をなし、その連続する３面には、各面についてそれぞれ４つの球状の嵌合突起３が突設され、残りの連続する３面には、同じく各面についてそれぞれ４つの嵌合孔７が形成されている。【００３５】
前記嵌合突起３は、球状に形成され、その突出先端部４と立方体表面（基面）２との間である、当該嵌合突起３の付根部には、縮径された括れ部５が形成されている。前記嵌合孔７は、前記嵌合突起３がしっくり収まるように、凹球面に形成され、開口部８が内部に比べて縮径された形状を備える。【００３６】
また、図３に示すように、嵌合突起３が嵌合孔７内に収まると、嵌合突起３の括れ部５と嵌合孔７の開口部８とが係合するとともに、嵌合突起３の括れ部５側の外周面６と嵌合孔７の開口部８側の内周面９とが係合するようになっており、嵌合突起３の括れ部側外周面６は、その外径が括れ部５側から先端部４側にかけて連続的に（滑らかに）大きくなるように形成される一方、嵌合孔７の開口部側内周面９は、その内径が開口部８側から底部側にかけて連続的に（滑らかに）大きくなるように形成されるとともに、嵌合突起３の括れ部側外周面６と係合する部分の内径が当該括れ部側外周面６の外径よりも小径に形成されている。【００３７】
また、嵌合突起３及び嵌合孔７は、図４に示すように、それぞれが設けられる立方体表面において、その２個を１列としてこれが２列に配置されるとともに、各列における中心位置の間隔と、列間の間隔とが同じ間隔（２×ａ）となるように配置されており、また、それぞれ接近する側の２つの端辺からの中心位置までの距離が同じ距離（ａ）となるように配置されている。【００３８】
斯くして、以上の構成を備えた本例の多面体遊具１では、一の多面体遊具１の嵌合突起３を、他の多面体遊具１の嵌合孔７に嵌合することで、両多面体遊具１が連結され、同様にして複数の多面体遊具１を嵌合連結することで、所望の立体形状を有する構造物を構築することができる。【００３９】
そして、当該多面体遊具１を適当な大きさにすれば、例えば、遊戯者が内部に入ることができる大きさの家や、乗り込み可能な船や自動車などを構築することができる。【００４０】
尚、図５に、連結数は少ないものの、連結状態の一例として、３つの多面体遊具１を連結した状態を示す。【００４１】
ところで、前記嵌合突起３と嵌合孔７との嵌合は、当該多面体遊具１が弾性を有するウレタンスポンジから構成されていることから、嵌合突起３が嵌合孔７内に挿入される際に、嵌合突起３の前記括れ部５より先端の大径部が弾性収縮変形するとともに、嵌合孔７の前記開口部８が弾性変形（拡大変形を含む）し、これによって、嵌合突起３が嵌合孔７に挿入される。【００４２】
このようにして嵌合突起３が嵌合孔７に挿入されると、嵌合突起３の大径部及び嵌合孔７の開口部８は、変形状態から元の状態に復するとともに、嵌合突起３が嵌合孔７内に完全に収まって、嵌合突起３が設けられた表面と嵌合孔７が設けられた表面とが当接し、嵌合孔７の開口部８と嵌合突起３の括れ部５とが、嵌合突起３の括れ部側外周面６と嵌合孔７の開口部側内周面９とが係合した状態となる。【００４３】
そして、このように開口部８と括れ部５とが、括れ部側外周面６と開口部側内周面９とが係合することで、嵌合突起３が嵌合孔７から抜けるのが防止されるとともに、がたつきなどのない安定した嵌合連結状態が確保されて、組み付けた多面体遊具１間の連結状態が良好に維持され、本例のように多面体遊具１を弾性体から構成しても、構築した構造物の立体形状を良好に維持することができる。【００４４】
また、嵌合突起３の嵌合孔７への挿入時においては、嵌合突起３の括れ部側外周面６よりも嵌合孔７の開口部８の方が小径であることから、嵌合突起３の括れ部側外周面６と嵌合孔７の開口部８とが当接すると、嵌合突起３及び嵌合孔７の弾性力によって嵌合突起３が嵌合孔７内に引き込まれることとなり、多面体遊具１をより容易且つより確実に嵌合連結させることができる。【００４５】
また、嵌合突起３が嵌合孔７内に挿入された後においては、嵌合突起３の括れ部側外周面６と嵌合孔７の開口部側内周面９とが係合し、嵌合突起３及び嵌合孔７の弾性力によって嵌合突起３を嵌合孔７内に引き込む力を生じることから、嵌合突起３が嵌合孔７から抜けるのをより確実に防止することができ、多くの多面体遊具１を組み付けることによってこれが崩れるといった不都合を防止することができる。【００４６】
また、多面体遊具１を弾性を有するウレタンスポンジから構成することで、これを相応に大きなものとしても、軽量で幼児などが容易に取り扱うことができ、しかも遊戯者が怪我をすることがないので、上記のように、遊戯者が内部に入ることができる大きさの家や、乗り込み可能な船や自動車など、実物大より若干小さい構造物や、逆に大きい構造物などを構築することができ、より現実味のある実体感を併せ持ったより興味深い遊戯を行なわせることができる。【００４７】
以上、本発明の実施形態について説明したが、本発明が採り得る具体的な態様は何らこれに限定されるものではない。【００４８】
例えば、上記の例において、嵌合突起３又は嵌合孔７の表面を樹脂などの硬質皮膜で被覆しても良い。このようにすれば、嵌合関係にある嵌合突起３又は嵌合孔７が、硬質皮膜によって弾性変形しなくなるので、上記の例に比べて、嵌合突起３が嵌合孔７からより抜け難くなり、構築した構造物の立体形状をより良好に維持することができる。【００４９】
また、上記の例では、ウレタンスポンジを用いたが、これに限られるものではなく、他の材質のスポンジや、スポンジに限られず、弾性を有するものであれば、例えば、天然ゴムや合成ゴムなどのゴム材であっても良い。【００５０】
また、遊具１の基本形状も上例の立方体に限られず、多面体であれば、角錐体など如何なる形状であっても良く、嵌合突起３及び嵌合孔７が設けられる面、数、位置も上例のものに限定されない。【００５１】
また、嵌合突起３及び嵌合孔７の形状は、上例の球体形状に限るものではなく、相互に嵌合連結可能な形状で、嵌合突起３が突出先端部と基面との間に縮径された括れ部５を有し、嵌合孔７の開口部８が内部に比べて縮径された形状であれば、どのような形状であっても良く、例えば、図６乃至図１３に示した各形状とすることができる。【００５２】
図６及び図７に示したものは、嵌合突起３ａ及び嵌合孔７ａが共に縦断面楕円形をなすもので、嵌合突起３ａの付根には括れ部５ａが形成され、嵌合孔７ａの開口部８ａは内部に比べて縮径されている。また、嵌合突起３ａが嵌合孔７ａ内に収まると、嵌合突起３ａの括れ部５ａと嵌合孔７ａの開口部８ａとが、嵌合突起３ａの括れ部５ａ側の外周面６ａと嵌合孔７ａの開口部８ａ側の内周面９ａとが係合するようになっており、嵌合突起３ａの括れ部側外周面６ａは、その外径が括れ部５ａ側から先端部側にかけて大きくなるように形成される一方、嵌合孔７ａの開口部側内周面９ａは、その内径が開口部８ａ側から底部側にかけて大きくなるように形成されるとともに、嵌合突起３ａの括れ部側外周面６ａと係合する部分の内径が当該括れ部側外周面６ａの外径よりも小径に形成される。【００５３】
また、図８及び図９に示したものは、嵌合突起３ｂ及び嵌合孔７ｂが共に円錐台形状をなすもので、嵌合突起３ｂの付根には括れ部５ｂが形成され、嵌合孔７ｂの開口部８ｂは内部に比べて縮径されている。また、嵌合突起３ｂが嵌合孔７ｂ内に収まると、嵌合突起３ｂの括れ部５ｂと嵌合孔７ｂの開口部８ｂとが、嵌合突起３ｂの外周面６ｂと嵌合孔７ｂの内周面９ｂとが係合するようになっており、嵌合突起３ｂの外周面６ｂは、その外径が括れ部５ｂ側から先端部側にかけて大きくなるように形成される一方、嵌合孔７ｂの内周面９ｂは、その内径が開口部８ｂ側から底部側にかけて大きくなるように形成されるとともに、嵌合突起３ｂの外周面６ｂと係合する部分の内径が当該外周面６ｂの外径よりも小径に形成される。【００５４】
また、図１０及び図１１に示したものは、嵌合突起３ｃ及び嵌合孔７ｃが共に球形をなすもので、嵌合突起３ｃの付根にはストレート部分を有する括れ部５ｃが形成され、嵌合孔７ｃの開口部８ｃは円筒面を有し、内部に比べて縮径されている。また、嵌合突起３ｃが嵌合孔７ｃ内に収まると、嵌合突起３ｃの括れ部５ｃと嵌合孔７ｃの開口部８ｃとが、嵌合突起３ｃの括れ部５ｃ側の外周面６ｃと嵌合孔７ｃの開口部８ｃ側の内周面９ｃとが係合するようになっており、嵌合突起３ｃの括れ部側外周面６ｃは、その外径が括れ部５ｃ側から先端部側にかけて大きくなるように形成される一方、嵌合孔７ｃの開口部側内周面９ｃは、その内径が開口部８ｃ側から底部側にかけて大きくなるように形成されるとともに、嵌合突起３ｃの括れ部側外周面６ｃと係合する部分の内径が当該括れ部側外周面６ｃの外径よりも小径に形成される。【００５５】
また、図１２及び図１３に示したものは、嵌合突起３ｄ及び嵌合孔７ｄが共に円錐台形状をなすもので、嵌合突起３ｄの付根には環状溝状の括れ部５ｄが形成され、嵌合孔７ｄの開口部８ｄは円筒面を有し、内部に比べて縮径されている。また、嵌合突起３ｄが嵌合孔７ｄ内に収まると、嵌合突起３ｄの括れ部５ｄと嵌合孔７ｄの開口部８ｄとが、嵌合突起３ｄの、括れ部５ｄを除いた外周面６ｄと嵌合孔７ｄの、開口部８ｄを除いた内周面９ｄとが係合するようになっており、嵌合突起３ｄの外周面６ｄは、その外径が括れ部５ｄ側から先端部側にかけて大きくなるように形成される一方、嵌合孔７ｄの内周面９ｄは、その内径が開口部８ｄ側から底部側にかけて大きくなるように形成されるとともに、嵌合突起３ｄの外周面６ｄと係合する部分の内径が当該外周面６ｄの外径よりも小径に形成される。【００５６】
また、上例では、各面に４つの嵌合突起３又は嵌合孔７をそれぞれ形成したが、この嵌合突起３や嵌合孔７の形成数は、特に限定されるものではない。例えば、図１４及び図１５に示すように、全６面の内、連続する３面について、その中心位置にそれぞれ１つの球状をした嵌合突起３を形成し、残りの連続する３面について、その中心位置にそれぞれ１つの球状をした嵌合孔７を形成するようにしても良い。
【産業上の利用可能性】
【００５７】
以上詳述したように、本発明は、相互に嵌合連結することで、実物大より若干小さい構造物や、逆に大きい構造物などを構築することができる多面体遊具として好適である。
【図１】
2006059527.tif 000002
【図２】
2006059527.tif 000003
【図３】
2006059527.tif 000004
【図４】
2006059527.tif 000005
【図５】
2006059527.tif 000006
【図６】
2006059527.tif 000007
【図７】
2006059527.tif 000008
【図８】
2006059527.tif 000009
【図９】
2006059527.tif 000010
【図１０】
2006059527.tif 000011
【図１１】
2006059527.tif 000012
【図１２】
2006059527.tif 000013
【図１３】
2006059527.tif 000014
【図１４】
2006059527.tif 000015
【図１５】
2006059527.tif 000016
【国際調査報告】
2006059527.tif 000017
2006059527.tif 000018
2006059527.tif 000019
2006059527.tif 000020
2006059527.tif 000021
2006059527.tif 000022